(57)【要約】【課題】操作量に応じた処理の速さをユーザが直感的に確認できる技術を実現する。【解決手段】表示制御装置は、操作手段へのユーザ操作を検知する検知手段と、ライブビュー画像を表示している際に、前記操作手段に対する操作に応じて、当該操作手段への操作量に応じたズーム速度でズーム処理を実行するように制御する制御手段と、前記ズーム処理の前記操作手段への操作に応じたズーム速度を設定する設定画面において、前記ライブビュー画像と異なるサンプル画像を用いて、前記操作手段への操作量に応じた速度で前記サンプル画像中のオブジェクトが拡大または縮小する疑似ズーム表示を行うように制御する表示制御手段と、を有する。【選択図】図３
2019062519.tif 000002
【特許請求の範囲】
【請求項１】
操作手段へのユーザ操作を検知する検知手段と、
ライブビュー画像を表示している際に、前記操作手段に対する操作に応じて、当該操作手段への操作量に応じたズーム速度でズーム処理を実行するように制御する制御手段と、
前記ズーム処理の前記操作手段への操作に応じたズーム速度を設定する設定画面において、前記ライブビュー画像と異なるサンプル画像を用いて、前記操作手段への操作量に応じた速度で前記サンプル画像中のオブジェクトが拡大または縮小する疑似ズーム表示を行うように制御する表示制御手段と、を有することを特徴とする表示制御装置。
【請求項２】
前記ズーム処理は光学ズームであることを特徴とする請求項１に記載の表示制御装置。
【請求項３】
前記制御手段は、前記ズーム処理として、撮影レンズのズームレンズを駆動するように制御することを特徴とする請求項２に記載の表示制御装置。
【請求項４】
前記制御手段は、前記設定画面において前記操作手段への操作があっても前記ズームレンズの駆動を行わないことを特徴とする請求項３に記載の表示制御装置。
【請求項５】
前記設定画面において前記操作手段へのズームインする操作が継続して行われた場合、前記表示制御手段は、前記操作手段に対する操作に応じて特定のズーム速度でズームインしてワイド端からテレ端へ達する時間よりも長い時間、拡大する方向の前記疑似ズーム表示を行うように制御することを特徴とする請求項１から４のいずれか１項に記載の表示制御装置。
【請求項６】
前記疑似ズーム表示は、複数のサンプル画像群を前記操作量に応じた速度でアニメーション表示する処理であることを特徴とする請求項１から５のいずれか１項に記載の表示制御装置。
【請求項７】
前記表示制御手段は、前記疑似ズーム表示において、前記操作手段への操作が継続している間、前記複数のサンプル画像群の始端から終端までアニメーション表示した後、再び始端から終端までループしてアニメーション表示を行うことを特徴とする請求項６に記載の表示制御装置。
【請求項８】
前記複数のサンプル画像群は、前記終端の次に前記始端を表示しても途切れなく拡大または縮小が継続しているような画像群であることを特徴とする請求項７に記載の表示制御装置。
【請求項９】
前記表示制御手段は、前記疑似ズーム表示において、前記操作手段へのズームインまたはズームアウトのうち一方の第１の操作が所定の条件を満たすまで継続した場合に前記第１の操作に応じた前記疑似ズーム表示を停止し、その後に前記第１の操作が一度解除された後、前記ズームインまたはズームアウトのうちもう一方の第２の操作がなくとも、再び前記第１の操作が行われた場合、前記第１の操作に応じた前記疑似ズーム表示を行うように制御することを特徴とする請求項１から８のいずれか１項に記載の表示制御装置。
【請求項１０】
前記設定画面において、前記操作手段への操作量の複数の段階に対応するズーム速度をユーザの操作に応じて設定可能であることを特徴とする請求項１から９のいずれか１項に記載の表示制御装置。
【請求項１１】
前記表示制御手段は、前記設定画面において、前記設定画面における設定に基づく前記操作手段への操作量に応じた速度で前記疑似ズーム表示を行うように制御することを特徴とする請求項１０に記載の表示制御装置。 
【請求項１２】
前記設定画面の背景を前記サンプル画像とするかライブビュー画像とするかを切り替える切替手段をさらに有し、
前記設定画面の背景が前記サンプル画像である場合には、前記表示制御手段は前記操作手段への操作に応じて前記疑似ズーム表示を行い、
前記設定画面の背景が前記ライブビュー画像である場合には、前記表示制御手段は前記操作手段への操作があっても前記疑似ズーム表示を行わず、前記制御手段が前記操作手段への操作に応じて前記ズーム処理を実行するように制御することを特徴とする請求項１から１１のいずれか１項に記載の表示制御装置。
【請求項１３】
前記ライブビュー画像を撮像する撮像手段をさらに有することを特徴とする請求項１から１２のいずれか１項に記載の表示制御装置。
【請求項１４】
前記表示制御手段は、前記疑似ズーム表示を所定量行うごとに、前記サンプル画像において他のオブジェクトと表示形態の異なる位置指標を表示するように制御することを特徴とする請求項１から１３のいずれか１項に記載の表示制御装置。
【請求項１５】
操作手段へのユーザ操作を受け付けたことを検知可能な検知手段と、
前記操作手段に対する操作に応じて所定の処理を実行するように制御を行う制御手段と、を有し、
前記制御手段は、前記所定の処理を受け付け可能な画面においては、表示手段に表示された画像が前記操作手段への操作量に応じて所定の表示形態の変化をし、当該画像の表示形態が所定の状態に達した後は、前記操作手段への操作がされても前記所定の表示形態の変化をしないようにし、
前記所定の処理に関する設定を行う設定画面においては、前記操作手段への操作量に応じて前記所定の表示形態の変化をしても、前記所定の状態に達しないサンプル画像を前記表示手段に表示するように制御することを特徴とする表示制御装置。
【請求項１６】
前記制御手段は、前記設定画面に前記サンプル画像を重ねて、前記操作手段への操作量に応じて前記サンプル画像が前記所定の表示形態の変化をするように制御することを特徴とする請求項１５に記載の表示制御装置。
【請求項１７】
操作手段へのユーザ操作を検知する検知ステップと、
ライブビュー画像を表示している際に、前記操作手段に対する操作に応じて、該操作手段への操作量に応じたズーム速度でズーム処理を実行するように制御する制御ステップと、
前記ズーム処理の前記操作手段への操作に応じたズーム速度を設定する設定画面において、前記ライブビュー画像と異なるサンプル画像を用いて、前記操作手段への操作量に応じた速度で前記サンプル画像中のオブジェクトが拡大または縮小する疑似ズーム表示を行うように制御する表示制御ステップと、を有することを特徴とする表示制御装置の制御方法。
【請求項１８】
操作手段へのユーザ操作を受け付けたことを検知可能な検知手段と、前記操作手段に対する操作に応じて所定の処理を実行するように制御を行う制御手段と、を有する表示制御装置の制御方法であって、
前記所定の処理を受け付け可能な画面においては、表示手段に表示された画像が前記操作手段への操作量に応じて所定の表示形態の変化をし、当該画像の表示形態が所定の状態に達した後は、前記操作手段への操作がされても前記所定の表示形態の変化をしないようにし、
前記所定の処理に関する設定を行う設定画面においては、前記操作手段への操作量に応じて前記所定の表示形態の変化をしても、前記所定の状態に達しないサンプル画像を前記表示手段に表示するように制御することを特徴とする制御方法。
【請求項１９】
コンピュータを、請求項１から１６のいずれか１項に記載された表示制御装置の各手段として機能させるためのプログラム。
【請求項２０】
コンピュータを、請求項１から１６のいずれか１項に記載された表示制御装置の各手段として機能させるためのプログラムを格納したコンピュータが読み取り可能な記憶媒体。
【発明の詳細な説明】
【技術分野】
【０００１】
本発明は、操作量に応じて表示をする技術に関する。
【背景技術】
【０００２】
従来、車載のデジタル表示器において、操作量の大きさに応じた数値を表示し、ユーザに現在の操作量に対するデータの変化量を示す方法が知られている（特許文献１）。また、特許文献２には、ズームのシミュレーションを行うために、カメラから取得した基準画像を電子的に拡大、縮小することが開示されている。
【先行技術文献】
【特許文献】
【０００３】
【特許文献１】特開２００５−２５７３７５号公報
【特許文献２】特開２０１４−１５４９０５号公報
【発明の概要】
【発明が解決しようとする課題】
【０００４】
しかしながら、ズームレバーの操作量に対するズーム速度など、操作量に応じた処理が実行されていることをユーザが確認する場合に、上記特許文献１のようにズームレバーの操作量に対するズーム速度を数値で表示したとしても、実際の速度感を直観的に把握するのは難しい。一方で、特許文献２のように、指示されたズーム速度に応じて表示装置で画角の変化を見せても、一定の操作を続けると望遠（以下Ｔｅｌｅ）端または広角（以下Ｗｉｄｅ）端に達した後は、ズームレバーを操作しても画角が変化しなくなってしまうため、ズーム操作量に対するズーム速度を体感的に確認することが難しくなる。
【０００５】
本発明は、上記課題に鑑みてなされ、その目的は、操作量に応じた処理の速さをユーザが直感的に確認できる技術を実現することである。
【課題を解決するための手段】
【０００６】
上記課題を解決し、目的を達成するために、本発明の表示制御装置は、表示制御装置は、操作手段へのユーザ操作を検知する検知手段と、ライブビュー画像を表示している際に、前記操作手段に対する操作に応じて、当該操作手段への操作量に応じたズーム速度でズーム処理を実行するように制御する制御手段と、前記ズーム処理の前記操作手段への操作に応じたズーム速度を設定する設定画面において、前記ライブビュー画像と異なるサンプル画像を用いて、前記操作手段への操作量に応じた速度で前記サンプル画像中のオブジェクトが拡大または縮小する疑似ズーム表示を行うように制御する表示制御手段と、を有する。
【発明の効果】
【０００７】
本発明によれば、操作量に応じた処理の速さをユーザが直感的に確認できるようになる。
【図面の簡単な説明】
【０００８】
【図１】本実施形態の装置構成を示すブロック図。
【図２】本実施形態の撮像制御装置の外観図（ａ）および表示部を表示面から見た図（ｂ）。
【図３】本実施形態のズーム速度設定処理を示すフローチャート。
【図４】本実施形態のズーム速度設定処理を示すフローチャート。
【図５】本実施形態のライブビュー画像の表示例を示す図（ａ）、ズームレバーの操作量とズーム速度の対応関係の一例を示す図（ｂ）およびズーム速度設定メニューを含むメニュー画面の一例を示す図（ｃ）。
【図６】本実施形態のズーム速度設定画面におけるサンプル画像の一例を示す図（ａ）、ズーム速度設定用画面の背景画像がサンプル画像の場合の一例を示す図（ｂ）、ズーム速度設定画面の背景画像がライブビュー画像の場合の一例を示す図（ｃ）および画面の明るさ調整用画面の一例を示す図（ｄ）。
【発明を実施するための形態】
【０００９】
以下に、本発明の実施の形態について添付図面を参照して詳細に説明する。
【００１０】
＜装置構成＞図１及び図２を参照して、表示制御装置および撮像制御装置としてのデジタルビデオカメラ（以下、カメラ）の機能及び外観について説明する。
【００１１】
図１は、本実施形態によるカメラ１００の構成の一例を示すブロック図である。
【００１２】
図１において、撮影レンズ１０３はズームレンズ、フォーカスレンズを含むレンズ群である。ズームレンズは、焦点距離を変化させることによって画像の表示倍率（ズーム倍率）を変化させるためのレンズであり、ズーム制御部１２４によって制御される。フォーカスレンズはピント合わせを行うレンズであり、フォーカス制御部１２５によって制御される。シャッター１０４は絞り機能を備える。撮像部１０５は光学像を電気信号に変換するＣＣＤやＣＭＯＳ素子等で構成される撮像素子である。Ａ／Ｄ変換部１０６は、アナログ信号をデジタル信号に変換する。Ａ／Ｄ変換部１０６は、撮像部１０５から出力されるアナログ信号をデジタル信号に変換するために用いられる。バリア１０２は、カメラ１００の、撮影レンズ１０３を含む撮像系を覆うことにより、撮影レンズ１０３、シャッター１０４、撮像部１０５を含む撮像系の汚れや破損を防止する。
【００１３】
画像処理部１０７は、Ａ／Ｄ変換部１０６からのデータ、又は、メモリ制御部１０９からのデータに対し所定の画素補間、縮小といったリサイズ処理や色変換処理を行う。また、画像処理部１０７では、撮像した画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０７では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換部１０６からの出力データは、画像処理部１０７及びメモリ制御部１０９を介して、或いは、メモリ制御部１０９を介してメモリ１１０に直接書き込まれる。メモリ１１０は、撮像部１０５によって得られＡ／Ｄ変換部１０６によりデジタルデータに変換された画像データや、表示部１１７に表示するための画像データを格納する。メモリ１１０は、所定枚数の静止画像や所定時間の動画像および音声を格納するのに十分な記憶容量を備えている。
【００１５】
また、メモリ１１０は画像表示用のメモリ（ビデオメモリ）を兼ねている。Ｄ／Ａ変換部１０８は、メモリ１１０に格納されている画像表示用のデータをアナログ信号に変換して表示部１１７に供給する。こうして、メモリ１１０に書き込まれた表示用の画像データはＤ／Ａ変換部１０８を介して表示部１１７により表示される。表示部１１７は、表示デバイスにＤ／Ａ変換部１０８からのアナログ信号に応じた表示を行う。Ａ／Ｄ変換部１０６によって一度Ａ／Ｄ変換されメモリ１１０に蓄積されたデジタル信号をＤ／Ａ変換部１０８においてアナログ変換し、表示部１１７に逐次転送して表示することで、電子ビューファインダ（ＥＶＦ）として機能し、スルー画像表示を行える。
【００１６】
表示部１１７は、例えば液晶ディスプレイであり、後述する液晶明るさ調整は、バックライトの輝度設定に対応する。なお、表示部１１７は液晶ディスプレイに限られるものではなく、有機ＥＬ（Ｏｒｇａｎｉｃ Ｅｌｅｃｔｒｏｌｕｍｉｎｅｓｃｅｎｃｅ）ディスプレイなどの他の方式のディスプレイでもよい。有機ＥＬディスプレイの場合、上記明るさ調整は、自己発光の輝度設定となる。
【００１７】
不揮発性メモリ１１１は、電気的に消去・記憶可能なメモリであり、例えばＥＥＰＲＯＭ等が用いられる。不揮発性メモリ１１１には、システム制御部１０１の動作用の定数、プログラム等が記憶される。ここでいう、プログラムとは、本実施形態にて後述する各種フローチャートを実行するためのプログラムのことである。
【００１８】
システム制御部１０１は、カメラ１００全体を制御する。前述した不揮発性メモリ１１１に記憶されたプログラムを実行することで、後述する実施形態の各処理を実現する。１１２はシステムメモリであり、ＲＡＭが用いられる。システムメモリ１１２には、システム制御部１０１の動作用の定数、変数、不揮発性メモリ１１１から読み出したプログラム等が展開される。また、システム制御部はメモリ１１０、Ｄ／Ａ変換部１０８、表示部１１７等を制御することにより表示制御も行う。
【００１９】
システムタイマー１１３は各種制御に用いる時間や、内蔵された時計の時間を計測する計時部である。
【００２０】
モード切替スイッチ１２１、第１シャッタースイッチ１２２ａ、第２シャッタースイッチ１２２ｂ、操作部１２３はシステム制御部１０１に各種の動作指示を入力するための操作部材である。操作部１２３の各操作部材は、表示部１１７に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１１７に表示される。利用者は、表示部１１７に表示されたメニュー画面と、上下左右の４方向ボタンやＳＥＴボタンとを用いて直感的に各種設定を行うことができる。なお、操作部１２３の１つとして、表示部１１７に対する接触を検知可能なタッチパネルを有する。
【００２１】
また、操作部１２３の１つとして、図２（ａ）に示すようなズームレバー１２３ａがある。ズームレバー１２３ａは一方の操作部を操作するともう一方の操作部が反対方向に動くシーソー型のスイッチであり、レバーの傾きが大きいほど電圧変化量が大きくなる仕組みである。システム制御部１０１は、ズームレバー１２３ａが操作されたときの電圧変化量を検出し、検出結果に応じて可変速ズームにおける何速目のズーム速度（ズームの速さ）かを決定し、ズーム制御部１２４にズーム駆動信号を送出する。ズーム制御部１２４は、ズーム駆動信号に応じて撮影レンズ１０３に含まれるズームレンズの位置を変化させることでズームレバー１２３ａの操作量に応じたズーム速度でズーム動作（レンズ制御）を行う。
【００２２】
モード切替スイッチ１２１は、システム制御部１０１の動作モードを静止画撮影モード、動画記録モード、再生モード等のいずれかに切り替える。静止画撮影モードに含まれるモードとして、オートモード、オートシーン判別モード、マニュアルモード、シーン別の撮影設定となる各種シーンモード、プログラムＡＥモード、絞り優先ＡＥモード（以下、ＡＶモード）、シャッタースピード優先ＡＥモード（以下、ＴＶモード）、カスタムモード、マニュアルモード（以下、Ｍモード）等がある。モード切替スイッチ１２１で、静止画撮影モードに含まれるこれらのモードのいずれかに直接切り替えられる。あるいは、モード切替スイッチ１２１で静止画撮影モードに一旦切り替えた後に、静止画撮影モードに含まれるこれらのモードのいずれかに、他の操作部材を用いて切り替えるようにしてもよい。同様に、動画記録モードにも複数のモードが含まれていてもよい。
【００２３】
第１シャッタースイッチ１２２ａは、カメラ１００に設けられたシャッターボタン１２２の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２４】
第２シャッタースイッチ１２２ｂは、シャッターボタン１２２の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０５からの信号読み出しから記録媒体１１９に画像データを書き込むまでの一連の撮影処理の動作を開始する。
【００２５】
操作部１２３の各操作部材は、表示部１１７に表示される種々の機能アイコンを選択操作することなどにより、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１１７に表示される。ユーザは、表示部１１７に表示されたメニュー画面と、上下左右の４方向ボタンやＳＥＴボタンとを用いて直感的に各種設定を行うことができる。
【００２６】
電源スイッチ１１４は、電源のＯＮまたはＯＦＦを行うための操作部材である。
【００２７】
電源制御部１１５は、電池検出回路、ＤＣ−ＤＣコンバータ、通電するブロックを切り替えるスイッチ回路等により構成され、電池の装着の有無、電池の種類、電池残量の検出を行う。また、電源制御部１１５は、その検出結果及びシステム制御部１０１の指示に基づいてＤＣ−ＤＣコンバータを制御し、必要な電圧を必要な期間、記録媒体１１９を含む各部へ供給する。
【００２８】
電源部１１６は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１１８は、メモリカードやハードディスク等の記録媒体１１９とのインターフェースである。記録媒体１１９は、撮影された画像を記録するためのメモリカード等の記録媒体であり、半導体メモリや磁気ディスク等から構成される。
【００２９】
＜ズーム速度設定処理＞次に、図３から図６を参照して、本実施形態のズーム速度設定処理について説明する。
【００３０】
図３は、本実施形態のズーム速度設定処理を示すフローチャートである。なお、図３の処理は、不揮発性メモリ１１１に記憶されたプログラムを、システムメモリ１１２に読み出してシステム制御部１０１が実行することにより実現する。また、図３の処理は、カメラ１００が静止画撮影モードまたは動画記録モードにおいて実行される。
【００３１】
Ｓ３０１では、システム制御部１０１は、図５（ａ）に示すように撮像部１０５から取得した画像（以下、ライブビュー画像）５００を表示部１１７に表示し、ライブビュー画像５００に重なるようにＭＥＮＵボタン５０１を表示する。
【００３２】
Ｓ３０２では、システム制御部１０１は、操作部１２３に含まれるズームレバー１２３ａに対するユーザ操作があったか否かを判定し、操作があった場合はＳ３０３へ進み、操作がなかった場合はＳ３０４へ進む。Ｓ３０３においては、システム制御部１０１は、光学ズームであるライブビュー画像のズーム処理を行う。ライブビュー画像のズーム処理については後述する。
【００３３】
Ｓ３０４では、システム制御部１０１は、図５（ａ）に示すライブビュー画像５００が表示された画面においてユーザが操作部１２３の４方向ボタンやＳＥＴボタン、タッチパネルなどを用いてＭＥＮＵボタン５０１を選択する操作を行ったか否かを判定する。Ｓ３０４でＭＥＮＵボタン５０１が選択された場合はＳ３０５へ進み、選択されていない場合はＳ３０２へ戻る。
【００３４】
Ｓ３０５では、システム制御部１０１は、ライブビュー画像５００を表示部１１７に表示しないで、メモリ１１０に生成される黒画像を背景に表示すると共に、図５（ｃ）に示すメニュー画面５０２を表示するように制御する。
【００３５】
Ｓ３０６では、システム制御部１０１は、図５（ｃ）に示すメニュー画面５０２においてユーザが操作部１２３に含まれる４方向ボタンやＳＥＴボタン、タッチパネルなどを用いてズーム速度設定メニュー５０３を選択する操作を行ったか否かを判定する。Ｓ３０６でズーム速度設定メニュー５０３が選択された場合はＳ３０７へ進み、選択されていない場合はＳ３３０へ進む。
【００３６】
Ｓ３０７では、システム制御部１０１は、表示部１１７の背景として、メモリ１１０に生成される黒画像を表示しないで、図６（ａ）に示すズーム速度設定画面用のサンプル画像６００を表示する。図６（ａ）のサンプル画像６００は、複数コマ（例えば３６０コマ）のフレーム画像よりなるフレーム画像群（サンプル画像群）の１コマであり、ズームレバー１２３ａが押下されていない場合は静止画として表示される。１つのフレーム画像には、例えば同じ形状で奥行き方向にいくほどサイズが小さくなる複数のオブジェクトアイテム６００ａ、６００ｂが所定の間隔で並べられたものが表示される。図６（ａ）のサンプル画像６００は、鳥居６００ａと石畳６００ｂが所定の間隔で並ぶ。後述するＳ３２３またＳ３２５において、サンプル画像６００を含むサンプル画像のフレーム画像群を用いて、システム制御部１０１は、ズーム操作の操作量に応じた切り替え速度で、ズーム操作の操作量に応じたズーム速度をユーザが感じられるようなアニメーション表示（疑似ズーム表示）を行う。すなわち、後述するズーム操作量に応じたズーム速度に基づいて、あたかもズーム動作が行われているように鳥居６００ａや石畳６００ｂが奥から手前あるいは手前から奥に連続して移動しながら消えては現れるような遠近感を示すアニメーション表示をする。ズームレバー１２３ａを押下して、ズームイン指示をした場合には、ズーム指示に応じて鳥居が拡大されていくと共に、画像の奥側（画面中央）に新たな鳥居が小さく表示されるようなアニメーションとなる。すなわち、ズームイン操作によりサンプル画像に含まれる第１の鳥居（第１のオブジェクト）が第１の大きさから第２の大きさに拡大して表示されると共に、第１の鳥居と同じ表示形態である第２の鳥居（第１のオブジェクト）が第１の大きさで新たに表示される。ズームレバー１２３ａを押下して、逆にズームアウト指示をした場合には、ズーム指示に応じて画面中央に向かって鳥居が縮小されていくと共に、画面の外側から大きな鳥居が新たに表示されるようなアニメーションとなる。サンプル画像群の終端フレームの次に始端フレームを表示しても途切れなく拡大または縮小が継続しているような映像となる。そのため、ズーム操作が続いている間は、サンプル画像群のアニメーションの始端から終端までを表示した後、再び始端から終端までを表示するようにループしてアニメーション表示する。これによって、ズーム操作が継続している限り、Ｔｅｌｅ端にもＷｉｄｅ端にも到達せずにズームし続けているかのようなアニメーション表示が可能である。
【００３７】
複数コマによるアニメーションではなく、単一の画像を電子的に拡大する電子ズームであれば、画像の中央部分など一部の領域だけが拡大表示されていき、ズーム操作開始時に中央に表示されていた被写体が拡大表示されたら、さらに先に表示するものがなくなる。最終的には最高倍率に達し、ズームできなくなる。仮に最高倍率を超えても電子ズームで拡大することを想定しても、最終的には元画像の単一画素が画面いっぱいに拡大された単一色の映像になってしまい、ズームしている様子はユーザにはわからなくなる。また、逆に単一の画像を電子的に縮小する電子ズームである場合、表示領域にちょうど画像全体が収まる倍率よりも縮小すると、外側から新たに進入してくる画像部分はなく、無画像領域が発生する。しかしながら、複数コマをアニメーション表示するサンプル画像あれば、ズーム操作が継続している限り、Ｔｅｌｅ端にもＷｉｄｅ端にも到達せずにズームし続けているかのようなアニメーション表示が可能である。例えば、ズーム操作開始時に１０個の鳥居が見えている場合に、ズーム操作に応じて手前の鳥居が見えなくなったことに応じて、新たに奥側に鳥居が表示される。これにより、ズームインを継続的に行っても１０個目の鳥居が表示された時点でこれ以上ズームができなくなる、ということにはならない。ユーザはズーム操作を行うと手前の鳥居が徐々に拡大しているように見えるので、ズームの速度を実感することができる。さらに端に突き当たらずにズームを継続できるのでズームの速度感覚を実感する前に端に突き当たることがなく、ズーム速度を長い時間実感しやすい。特に、ズームレバー１２３ａの操作量に応じたズーム速度を設定する画面においては、操作量と設定したズーム速度との関係を撮影前に把握することでユーザはスムーズに撮影を行うことができる。さらに、ズーム操作量に応じて複数段階でズーム速度を設定可能である場合、ズーム操作量が１段階目の範囲に対応付けられた１段階目のズーム速度、ズーム操作量が２段階目の範囲に対応付けられた２段階目のズーム速度などを順番に試して、設定を確認することがある。よって、１段階目のズーム速度をズームインして確認した後、ズームアウトして元の状態に戻すことなく、ズーム操作量をより高くして（ズームレバー１２３ａをより押し込んで）、続けて２段階目のズーム速度を確認することができる。
【００３８】
なお、図６（ａ）のサンプル画像６００は一例であり、評価用画像や風景画像など、表現方法はこの例に限らない。
【００３９】
Ｓ３０８では、システム制御部１０１は、表示部１１７に、図６（ａ）に示すサンプル画像６００を背景とする図６（ｂ）に示すようなズームレバー１２３ａの操作量に対するズーム速度を設定するためのズーム速度設定画面６０２を表示する。
【００４０】
Ｓ３０９では、システム制御部１０１は、図６（ｂ）に示すズーム速度設定画面６０２においてユーザが操作部１２３に含まれる４方向ボタンやＳＥＴボタン、タッチパネルなどを用いて背景画像切替ボタン６１１ａを選択する操作を行ったか否かを判定する。Ｓ３０９でボタン６１１ａが選択された場合はＳ３１０へ進み、選択されない場合はＳ３１１へ進む。背景画像切替ボタン６１１ａは、ズーム速度設定画面の背景画像をサンプル画像またはライブビュー画像に切り替えるためのボタンである。図６（ｂ）は背景をサンプル画像としたズーム速度設定画面であり、図６（ｃ）は背景をライブビュー画像としたズーム速度設定画面である。
【００４１】
Ｓ３１０では、システム制御部１０１は、背景画像をライブビュー画像に切り替える場合は、図６（ｃ）に示すようにズーム速度設定画面６０３の背景画像をライブビュー画像５００に切り替える。また、システム制御部１０１は、背景画像をサンプル画像に切り替える場合は、図６（ｂ）に示すようにズーム速度設定画面６０２の背景画像をサンプル画像６００に切り替える。
【００４２】
Ｓ３１１では、システム制御部１０１は、図６（ｂ）の画面６０２または図６（ｃ）の画面６０３においてユーザが操作部１２３に含まれる４方向ボタンやＳＥＴボタン、タッチパネルなどを用いてズーム速度の設定を行ったか否かを判定する。Ｓ３１１でズーム速度の設定を行った場合はＳ３１２へ進み、行っていない場合はＳ３１３へ進む。ユーザは、図６（ｂ）の画面６０２または図６（ｃ）の画面６０３におけるズームレバー１２３ａの操作量レベルのｐｏｓ１〜５のいずれかを選択することで、選択したズームレバー１２３ａの操作量レベルに対するズーム速度６１１ｂ〜６１１ｆのパラメータを、１（低速）〜１６（高速）の範囲で設定（変更）することができる。
【００４３】
ズームレバー１２３ａは、レンズ１０３側と反対側とに共に押下することができるが、レンズ１０３側への操作を５段階に分け、反対側の操作を５段階に分け、それぞれ操作量１〜５としている。このように、設定画面においてはズームレバー１２３ａへの操作量に応じて、それぞれズーム速度を設定することができる。なお、ズームイン側（Ｔｅｌｅ、レンズ１０３側へ押下する）とズームアウト側（Ｗｉｄｅ、反対側へ押下する）とにおいて、同じ操作の大きさには同じズーム速度が設定される。つまり、Ｔｅｌｅ側の操作量ｐｏｓ３にズームイン速度αが設定されると、Ｗｉｄｅ側の操作量ｐｏｓ３には、ズームアウト速度αが設定されることになる。ズーム速度は装着されたレンズにおいてカメラが制御可能なズームの最高速度を１６段階に分割した各ズーム速度を示している。ズーム速度１６が設定された場合には最高ズーム速度、ズーム速度８が設定された場合には最高ズーム速度の半分の速度でズーム制御が行われる。
【００４４】
図６（ｂ）の画面６０２または図６（ｃ）の画面６０３では、ズームレバー１２３ａの操作量ｐｏｓ４が選択され、選択されたズームレバー１２３ａの操作量ｐｏｓ４に対するズーム速度６１１ｅのパラメータとして８が設定されている例を示している。なお、ズームレバー１２３ａの操作量に対するズーム速度の設定に代えて、ズーム速度に応じたズームレバー１２３ａの操作量を設定するようにしてもよい。
【００４５】
Ｓ３１２では、システム制御部１０１は、Ｓ３１１において設定された、選択中のズームレバー１２３ａの操作量レベルに対するズーム速度６１１ｂ〜６１１ｆのパラメータをメモリ１１０に記録する。
【００４６】
Ｓ３１３では、システム制御部１０１は、操作部１２３に含まれるズームレバー１２３ａに対するユーザ操作があったか否かを判定し、操作があった場合はＳ３１４へ進み、操作がなかった場合はＳ３１９へ進む。
【００４７】
Ｓ３１４では、システム制御部１０１は、Ｓ３１３でのズームレバー１２３ａの操作量を取得する。
【００４８】
Ｓ３１５では、システム制御部１０１は、Ｓ３１４で取得したズームレバー１２３ａの操作量に対応する、現在設定中のズーム速度をメモリ１１０から取得する。
【００４９】
Ｓ３１６では、システム制御部１０１は、図６（ｂ）の画面６０２の各項目６１１ｂ〜６１１ｇのようにズームレバー１２３ａの操作量６１１ｇとそれに対応する現在設定中のズーム速度６１１ｂ〜６１１ｆを表示し、ユーザに通知する。図６（ｂ）の例では、ズームレバー１２３ａの操作量ｐｏｓ４についてズーム速度が８に設定されていることが表示されており、ユーザはこれを見て現在の設定値を一目で確認することができる。
【００５０】
Ｓ３１７では、システム制御部１０１は、図６（ｂ）の画面６０２または図６（ｃ）の画面６０３の背景画像がサンプル画像であるか否かを判定し、サンプル画像でない場合はＳ３１８へ進み、サンプル画像である場合はＳ３２０へ進む。
【００５１】
Ｓ３１８では、システム制御部１０１は、Ｓ３０３と同様に、光学ズーム処理であるライブビュー画像のズーム処理を行い、Ｓ３１９に進む。なお、ここでは、光学ズームした結果得られたライブビュー画像がズーム速度設定画面の背景として表示される。ここでは、光学ズームであるため、ズームイン操作中にテレ端に達するとズームは止まり、また、ズームアウト操作中にワイド端に達するとズームが止まる。ズームインに操作によってテレ端に達した場合、ズームレンズ位置がテレ端に達しているため、一度ズームアウト操作を行わないと、再度のズームイン操作に応じたズームインはできない。また、ズームアウトに操作によってワイド端に達した場合、ズームレンズ位置がワイド端に達しているため、一度ズームイン操作を行わないと、再度のズームアウト操作に応じたズームアウトはできない。
【００５２】
Ｓ３２０では、システム制御部１０１は、Ｓ３１３でのズームレバー１２３ａの操作量に応じて移動した位置（疑似ズーム表示のアニメメーションの進んだ位置）が所定の位置に達したか否かを判定する。判定の結果、所定の距離位置に達した場合はＳ３２１へ進み、達しない場合はＳ３２２へ進む。
【００５３】
Ｓ３２１では、システム制御部１０１は、所定の距離位置に達するごとに（疑似ズーム表示を所定量行うごとに）サンプル画像において他のオブジェクトと表示形態の異なる所定のオブジェクトアイテムを位置指標として表示する。図６（ａ）のサンプル画像６００では、Ｓ３２１でのズーム操作量に応じて移動した位置が所定の距離位置に達した場合、その位置６０１に対応する鳥居６００ａや石畳６００ｂの色を変えて表示する。これにより、所定の距離を移動するまでの速度がわかりやすく表示できる。なお、色に限らず何らかの目印を付してもよい。
【００５４】
ズームの進み具合を継続的に示すために、Ｔｅｌｅ端、Ｗｉｄｅ端に突き当たらないようにサンプル画像を表示することを説明した。同じような被写体が連続的に並んで表示されると、ユーザがある位置からある位置まで、設定されたズーム速度だとどのくらいの時間で到達するのか分かりにくい可能性がある。そこで、Ｓ３２１のように所定の距離、例えば鳥居５つ分ごとに指標を表示するようにするとユーザは所定の距離のズームにかかる時間を把握しやすくなる。所定のオブジェクトアイテムは、所定の距離分ズーム操作がされる度に同じ位置に表示するようにしてもよいし、予め鳥居５つごとや石畳５つごとといったように所定の距離ごとに被写体の表示形態を変えて表示するようにしてもよい。
【００５５】
Ｓ３２２では、システム制御部１０１は、Ｓ３１３でのズームレバー１２３ａの操作に応じたズーム方向がＷｉｄｅ方向であるか否かを判定する。判定の結果、Ｗｉｄｅ方向ではない場合（ズームイン操作が行われている場合）はＳ３２３へ進み、Ｗｉｄｅ方向である場合（ズームアウト操作が行われている場合）はＳ３２５へ進む。
【００５６】
Ｓ３２３では、システム制御部１０１はＳ３１３のズームレバー１２３ａの操作に応じてＳ３１５で取得したズーム速度で、図６（ｂ）に示すズーム速度設定画面６０２のサンプル画像６００をＴｅｌｅ方向へ無限にズームしているような疑似ズーム表示を行う。この場合、光学ズーム駆動は行わない。具体的には、ズームイン操作が継続している間、Ｓ３１３でのズーム操作量に応じたアニメーションの速度（フレームレート速度、あるいはコマ画像の間引き率)でサンプル画像群のフレーム画像を順次表示する。そして、ズーム操作量に応じた速度でサンプル画像中のオブジェクトである鳥居が拡大されていくと共に、画像の奥側（画面中央）に新たな鳥居が小さく表示されるようなアニメーション表示を行う。ズームイン操作が継続している限りは、サンプル画像群の最終フレーム（または先頭フレーム）に達した場合にはスムーズに逆端の先頭フレーム（または最終フレーム）から同じ方向へのアニメーション表示を繰り返す。これによって、サンプル画像６００における鳥居６００ａや石畳６００ｂが奥から手前に順次移動しながら消失しては出現するような遠近表示がズームイン操作が継続している限り継続する。このような遠近表示を継続することで常に同じ方向へズームしているような映像効果を実現する。これにより、ユーザはズームレバー１２３ａの操作に応じた速度感で、ズーム操作量に応じたズーム速度を直感的に確認できるようになる。
【００５７】
Ｓ３２４では、システム制御部１０１は、操作部１２３に含まれるズームレバー１２３ａに対するズームイン操作が継続して行われているか否かを判定し、継続して行われている場合はＳ３２３へ戻り、ズームイン操作が行われていない場合はＳ３１９へ進む。
【００５８】
Ｓ３２５では、システム制御部１０１はＳ３１３のズームレバー１２３ａの操作に応じてＳ３１５で取得したズーム速度で、図６（ｂ）に示すズーム速度設定画面６０２のサンプル画像６００をＷｉｄｅ方向へ無限にズームしているような疑似ズーム表示を行う。この場合、光学ズーム駆動は行わない。具体的には、ズームアウト操作が継続している間、Ｓ３１３でのズーム操作量に応じたアニメーションの速度(フレームレート速度、あるいはコマ画像の間引き率)でサンプル画像群のフレーム画像を順次表示する。そして、ズーム操作量に応じた速度でサンプル画像中のオブジェクトである鳥居が縮小されていくと共に、画面外側から大きな鳥居が新たに表示されるようなアニメーション表示を行う。ズームアウト操作が継続している限りは、サンプル画像群の先頭フレーム（または最終フレーム）に達した場合にはスムーズに逆端の最終フレーム（または先頭フレーム）から同じ方向へのアニメーション表示を繰り返す。これによって、サンプル画像６００における鳥居６００ａや石畳６００ｂが手前から奥に順次移動しながら消失しては出現するような遠近表示がズームアウト操作が継続している限り継続する。このような遠近表示を継続することで常に同じ方向へズームしているような映像効果を実現する。これにより、ユーザはズームレバー１２３ａの操作に応じた速度感で、ズーム操作量に応じたズーム速度を直感的に確認できるようになる。
【００５９】
Ｓ３２６では、システム制御部１０１は、操作部１２３に含まれるズームレバー１２３ａに対するユーザ操作が継続して行われているか否かを判定し、継続して行われている場合はＳ３２５へ戻り、操作が行われていない場合はＳ３１９へ進む。
【００６０】
図４で後述するＳ３０３およびＳ３１８でのライブビュー画像のズーム処理では、図６（ｃ）に示すズーム速度設定画面６０３のように背景画像がライブビュー画像の場合は実際のズームレバー１２３ａの操作に応じた光学ズーム制御を行う。なお、ここでは光学ズームした結果得られたライブビュー画像がズーム速度設定画面の背景として表示される。ここでは、光学ズームであるため、ズームイン操作中にテレ端に達するとズームは止まり、また、ズームアウト操作中にワイド端に達するとズームが止まる。ズームインに操作によってテレ端に達した場合、ズームレンズ位置がテレ端に達しているため、一度ズームアウト操作を行わないと、再度のズームイン操作に応じたズームインはできない。また、ズームアウトに操作によってワイド端に達した場合、ズームレンズ位置がワイド端に達しているため、一度ズームイン操作を行わないと、再度のズームアウト操作に応じたズームアウトはできない。これに対して、図６（ｂ）に示すズーム速度設定画面６０２のように背景画像がサンプル画像群によるアニメーションを継続して行うため、ズーム速度に応じた映像の変化がズーム操作が継続している間に止まることがない。このようにズームを行っている状態を疑似的にかつ継続的に表示することで、ユーザがズーム速度を体感し、ズーム操作量に応じたズーム速度をしっかりと確認できるようになる。
【００６１】
Ｓ３１９では、システム制御部１０１は、図６（ｂ）に示すズーム速度設定画面６０２においてユーザが操作部１２３に含まれる４方向ボタンやＳＥＴボタン、タッチパネルなどを用いて画面を閉じるボタン６１１ｈを選択する操作を行ったか否かを判定する。Ｓ３１９で画面を閉じるボタン６１１ｈが選択された場合はＳ３０５へ戻り、選択されていない場合はＳ３０９へ戻る。
【００６２】
＜ライブビュー画像のズーム処理＞
図４は、図３のＳ３０３、Ｓ３１８におけるライブビュー画像のズーム処理を示すフローチャートである。
【００６３】
Ｓ４０１では、システム制御部１０１は、Ｓ３０２でのズームレバー１２３ａの操作がＷｉｄｅ方向であるか否かを判定し、Ｗｉｄｅ方向である場合はＳ４０２へ進み、Ｗｉｄｅ方向ではない場合はＳ４０５へ進む。
【００６４】
Ｓ４０２では、システム制御部１０１は、現在のズーム位置がＷｉｄｅ端であるか否かを判定し、Ｗｉｄｅ端である場合はＳ４０４へ進み、Ｗｉｄｅ端ではない場合はＳ４０３へ進む。
【００６５】
Ｓ４０３では、システム制御部１０１は、Ｓ３０２でのズームレバー１２３ａの操作量に応じて図５（ｂ）のテーブルを用いてズーム速度を決定し、ズーム制御部１２４を制御する。ズーム制御部１２４は、決められたズーム速度でライブビュー画像がＷｉｄｅ方向になるようにズームレンズの位置を移動させる。すなわち、光学ズームを行う。図５（ｂ）はズームレバー１２３ａの操作量に対するズーム速度を規定したテーブルの一例である。
【００６６】
Ｓ４０４では、システム制御部１０１は、操作部１２３に含まれるズームレバー１２３ａに対するユーザ操作が継続して行われているか否かを判定し、継続して行われている場合はＳ４０２へ戻り、操作が行われていない場合はＳ３０２へ進む。継続してＷｉｄｅ側へのズーム操作が行われていても、ズーム位置がワイド端に達するとＳ４０２でＹＥＳとなり、ズーム駆動は停止される（Ｓ４０３のズーム駆動が行われない）。
【００６７】
Ｓ４０５では、システム制御部１０１は、現在のズーム位置がＴｅｌｅ端であるか否かを判定し、Ｔｅｌｅ端である場合はＳ４０７へ進み、Ｔｅｌｅ端ではない場合はＳ４０６へ進む。
【００６８】
Ｓ４０６では、システム制御部１０１は、Ｓ３０２でのズームレバー１２３ａの操作量に応じて図５（ｂ）のテーブルを用いてズーム速度を決定し、ズーム制御部１２４を制御する。ズーム制御部１２４は、決められたズーム速度でライブビュー画像がＴｅｌｅ方向になるようにズームレンズの位置を移動させる。すなわち、光学ズームを行う。
【００６９】
Ｓ４０７では、システム制御部１０１は、操作部１２３に含まれるズームレバー１２３ａに対するユーザ操作が継続して行われているか否かを判定し、継続して行われている場合はＳ４０５へ戻り、操作が行われていない場合はＳ３０２へ進む。継続してＴｅｌｅ側へのズーム操作が行われていても、ズーム位置がＴｅｌｅ端に達するとＳ４０２でＹＥＳとなり、ズーム駆動は停止される（Ｓ４０３のズーム駆動が行われない）。
【００７０】
＜画面の明るさ調整処理＞
Ｓ３３０では、システム制御部１０１は、図５（ｃ）に示すメニュー画面５０２においてユーザが操作部１２３に含まれる４方向ボタンやＳＥＴボタン、タッチパネルなどを用いて画面明るさ調整メニュー５０４を選択する操作を行ったか否かを判定する。Ｓ３３０で画面明るさ調整メニュー５０４が選択された場合はＳ３３１へ進み、選択されていない場合はＳ３３５へ進む。
【００７１】
Ｓ３３１では、システム制御部１０１は、図６（ｄ）に示すようなライブビュー画像５００を背景画像とした画面の明るさを調整するための画面６０４を表示部１１７に表示する。ユーザは、図６（ｄ）の画面明るさ調整画面６０４における暗方向ボタン６１２ａや明方向ボタン６１２ｂを操作して画面の明るさを任意の明るさに設定することができる。図６（ｄ）の画面明るさ調整画面６０４では、画面の明るさが７段階のうち暗い方から３段階に設定されている例を示している。
【００７２】
Ｓ３３２では、システム制御部１０１は、図６（ｄ）の画面明るさ調整画面６０４においてユーザが操作部１２３に含まれる４方向ボタンやＳＥＴボタン、タッチパネルなどを用いて明るさの設定を行ったか否かを判定する。Ｓ３３２で設定を行った場合はＳ３３３へ進み、設定を行っていない場合はＳ３３４へ進む。
【００７３】
Ｓ３３３では、システム制御部１０１は、Ｓ３３２で設定された画面の明るさのパラメータをメモリ１１０に記録し、設定された明るさに基づき、表示部１１７のバックライトの輝度を変更するように制御する。
【００７４】
Ｓ３３４では、システム制御部１０１は、図６（ｄ）に示す画面明るさ調整画面６０４においてユーザが操作部１２３に含まれる４方向ボタンやＳＥＴボタン、タッチパネルなどを用いて画面を閉じるボタン６１２ｃを選択する操作を行ったか否かを判定する。Ｓ３３４で画面を閉じるボタン６１２ｃが選択された場合はＳ３０５へ戻り、選択されていない場合はＳ３３２へ戻る。
【００７５】
Ｓ３３５では、システム制御部１０１は、図５（ｃ）に示すメニュー画面５０２においてユーザが操作部１２３に含まれる４方向ボタンやＳＥＴボタン、タッチパネルなどを用いてメニュー画面５０２を閉じるボタン５０５を選択する操作を行ったか否かを判定する。Ｓ３３５でメニュー画面５０２を閉じるボタン５０５が選択された場合はＳ３３６へ進み、選択されていない場合はＳ３０６へ戻る。
【００７６】
Ｓ３３６では、システム制御部１０１は、図６（ｃ）に示すメニュー画面５０２を閉じて、Ｓ３０１に戻る。
【００７７】
以上説明した実施形態によれば、ユーザは、ズーム速度の設定画面において、ズーム操作量に応じたズーム速度を体感し、ズーム速度を直感的に確認できるようになる。本実施形態によれば、図６（ｂ）に示すズーム速度設定画面６０２のように背景画像がサンプル画像６００の場合は、実際のズーム制御は行わず、設定されたズーム速度でサンプル画像６００を無限にズームしているような疑似的な遠近表示を継続する。従って、ユーザの意図通りのズーム速度であることをじっくり確認して設定することができる。
【００７８】
なお、上述の実施形態では、ズーム速度設定画面においてサンプル画像を表示してズーム操作に応じたアニメーションを行う場合、無限にズームしているかのようにループしてアニメーション表示する例を説明したが、これに限るものではない。同じ特定のズーム速度となる操作量でズーム操作された場合、光学ズームでワイド端からテレ端にズームするまでの時間よりも、サンプル画像群を用いたアニメーションによる疑似ズームでの拡大時間の方が長いようにする。すなわち、設定画面においてズームイン操作が継続して行われた場合、ズームレバー１２３ａに対するズームイン操作に応じて特定のズーム速度でズームインしてワイド端からテレ端へ達する時間よりも長い時間、拡大する疑似ズーム表示を行う。
【００７９】
こうすれば、光学ズームを行うよりも長い時間ズーム速度を継続して確認できるという効果を奏する。例えば、光学ズームでワイド端からテレ端にズームするまでの時間よりも明らかに長い、１分や２分といった長い時間ズーム操作が継続した場合は、ユーザが意図した操作ではなく誤操作である可能性があるため、アニメーションを停止する。そして、その後新たな操作が所定時間無かった場合に、電源をオフにして節電モードに移行するオートパワーオフを行ってもよい。
【００８０】
また、テレ端からワイド端までズームした場合に、現在のズーム速度でどの程度の時間がかかるかを確認するため、敢えて、現在のズーム速度で光学ズームした場合にテレ端またはワイド端に達するまでと同じ時間でアニメーションを停止してもよい。ただし、アニメーションを用いた疑似的なズーム表現では、ズームを戻す必要がない。すなわち、ズームイン操作があるとズームイン操作に応じた疑似ズーム表示を行うが、ズームイン操作が所定の条件を満たすまで継続した場合には、ズームイン操作によってテレ端に達する時間をシミュレーションしてアニメーションを止める。その後、一旦ズームイン操作が終了（一度解除）されると（ズームレバー１２３ａの押下がなくなると）、ズームアウト操作がなくとも、再びズームイン操作がされた場合には、ズームイン操作に応じた拡大していくような疑似ズーム表示を行うものとする。反対に、ズームアウト操作によってワイド端に達する時間をシミュレーションしてアニメーションを止める。その後、一旦ズームアウト操作が終了（一度解除）されると（ズームレバー１２３ａの押下がなくなると）、ズームイン操作がなくとも、再度ズームアウト操作がされた場合に再び縮小していくようにアニメーション表示を行うものとする。
【００８１】
なお、上述の実施形態においては、操作量に応じた処理を実行するための画面の例としてズームを用いて説明をしたが、これに限らず、色の変更や所定の効果をかけていくような画面や、動画や音楽の再生速度や再生音量を設定する画面においても適用可能である。つまり、フェードアウトや徐々に画像の色を濃くしていくような効果をかける場合に、設定画面においてフェードアウトの進み具合や色の変化具合がどのように変わっていくのかをサンプル画像を用いて表示する。色の変化であれば、徐々に暗くしていき、最も濃い色になった後、再び薄い色に戻り、色の変化の速度をユーザが実感しやすいようにする。このようにユーザ操作に応じた処理の実行を示すために表示の変化（表示状態が徐々に変更される）があるような場合に本実施形態は適用可能である。
【００８２】
なお、システム制御部１０１の制御は１つのハードウェアが行ってもよいし、複数のハードウェアが処理を分担することで、装置全体の制御を行ってもよい。
【００８３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８４】
上述した実施形態では、ズームレバー１２３ａの操作量に応じたズーム速度を設定する例を説明したが、タッチパネルに対するボタンの操作量（圧力）や操作量（圧力）を検知できる物理的なボタンなどに適用してもよい。また、本実施形態では、ズーム制御の一例として光学ズームを行う例を説明したが、撮像された画像の一部を拡大して電子的な変倍を行う電子ズームに適用してもよい。
【００８５】
また、上述した実施形態では、ズーム制御におけるズーム操作量に応じたズーム速度を設定する例を説明したが、これに限定されず、操作部材の操作量に応じて画像の表示状態を変化させる様々な制御に適用可能である。
【００８６】
また、上述した実施形態においては、デジタルビデオカメラに適用した例を説明したが、これに限定されず、操作部材の操作量に応じて画像の表示状態を変化させる制御における動作速度を設定可能な機能を有する装置であれば適用可能である。すなわち、本発明は、パーソナルコンピュータやタブレット端末、携帯電話端末やスマートフォン、ＰＤＡ（携帯情報端末）、携帯型の画像ビューワ、音楽プレーヤ、ゲーム機、電子ブックリーダ、プロジェクタ、その他のディスプレイを備える医療機器や家電装置や車載装置などに適用可能である。また、本発明の表示制御装置は、カメラで撮影したライブビュー画像を有線または無線通信を介して受信して表示し、遠隔操作でカメラ（ネットワークカメラを含む）を制御するスマートフォンやタブレット端末、デスクトップＰＣなどの撮像制御装置にも適用可能である。
【００８７】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８８】
１００…デジタルビデオカメラ、１０１…システム制御部、１１７…表示部、１２３…操作部、１２３ａ…ズームレバー
【図１】
2019062519.tif 000003
【図２】
2019062519.tif 000004
【図３】
2019062519.tif 000005
【図４】
2019062519.tif 000006
【図５】
2019062519.tif 000007
【図６】
2019062519.tif 000008